(57)【要約】      （修正有）【課題】装着及び使用が簡単な指ホルダーにスタイラスペンと同様の効果を得られる突起を設けてタッチパネル形式の携帯ゲーム機等を操作することが可能な携帯ゲーム機用指ホルダーを提供する。【解決手段】頂部３ａが丸みを帯びたドーム状に形成され底部３ｄが開口した筒状の本体２で、背面は後方に向かってやや湾曲した湾曲部３ｃが形成され、前記湾曲部の延長線上となる頂点は突起３ａを形成し、正面３には顔のデザイン４が描かれており、前記本体２の内部に中空に取り付けられたクッション材の中空部分を指保持部としたことを特徴とする携帯ゲーム機用指ホルダー１の構成とし、本体２の正面に様々なデザインを描くことでバリエーションに富んだ携帯ゲーム機用指ホルダーとした。また、本体を指輪を模したリング状に形成し、前記リング状の本体の下部には後方に向かって突出した突出部を設け、前記突出部の下方に突起を設けたことを特徴とする指輪型携帯ゲーム機用指ホルダー。【選択図】図２
0003134926.tif 000002
【実用新案登録請求の範囲】
【請求項１】
頂部が丸みを帯びたドーム状に形成され底部が開口した筒状の本体で、前記本体の背面は後方に向かってやや湾曲した湾曲部が形成され、前記湾曲部の延長線上となる頂点は突起を形成し、前記本体の内部に中空に取り付けられたクッション材の中空部分を指保持部とし、前記本体の正面には顔のデザインを描いたことを特徴とする携帯ゲーム機用指ホルダー。
【請求項２】
頂部が丸みを帯びたドーム状に形成され底部が開口した筒状の本体で、前記本体の背面は後方に向かってやや湾曲した湾曲部が形成され、前記湾曲部の延長線上となる頂点は突起を形成し、前記本体の正面には顔のデザインが描かれており、前記本体の内部に中空に取り付けられたクッション材に厚みを持たせて指保持部の空間を小さくしたことを特徴とする携帯ゲーム機用指ホルダー。
【請求項３】
本体の正面にペンギンのデザインを描いたことを特徴とする請求項１及び請求項２に係る携帯ゲーム機用指ホルダー。
【請求項４】
本体の正面にカエルのデザインを描いたことを特徴とする請求項１及び請求項２に係る携帯ゲーム機用指ホルダー。
【請求項５】
本体の正面に鳥のデザインを描いたことを特徴とする請求項１及び請求項２に係る携帯ゲーム機用指ホルダー。
【請求項６】
本体の正面に犬のデザインを描いたことを特徴とする請求項１及び請求項２に係る携帯ゲーム機用指ホルダー。
【請求項７】
本体の正面にモグラのデザインを描いたことを特徴とする請求項１及び請求項２に係る携帯ゲーム機用指ホルダー。
【請求項８】
本体の正面にインディアンのデザインを描いたことを特徴とする請求項１及び請求項２に係る携帯ゲーム機用指ホルダー。
【請求項９】
本体の正面にゾウのデザインを描いたことを特徴とする請求項１及び請求項２に係る携帯ゲーム機用指ホルダー。
【請求項１０】
本体の正面にイルカのデザインを描いたことを特徴とする請求項１及び請求項２に係る携帯ゲーム機用指ホルダー。
【請求項１１】
本体の側面にクリーナーを付けたことを特徴とする請求項１乃至請求項１０に係る携帯ゲーム機用指ホルダー。
【請求項１２】
頂部が丸みを帯びたドーム状に形成され底部が開口した筒状の本体で、前記本体の背面は後方に向かってやや湾曲した湾曲部が形成され、前記湾曲部の延長線上となる頂点は突起を形成し、前記本体の正面の上方には２箇所の略正方形状の空気孔が縦列に設けられ、前記本体の背面には略楕円形状の空気孔を設けたことを特徴とする携帯ゲーム機用指ホルダー。
【請求項１３】
本体を指輪を模したリング状に形成し、前記リング状の本体上部には装飾部材を取り付け、前記本体の下部には後方に向かって突出した突出部を設け、前記突出部の先端からは下方に向かって突起が設けられたことを特徴とする指輪型携帯ゲーム機用指ホルダー。
【請求項１４】
本体と前記本体の背面に連接した支持部から構成され、前記本体は上方及び下方が開口した筒体であり、前記支持部は先端が尖った丸みを帯びた略三角形状の支持枠の突端が後方に向かってやや湾曲することで突起を形成したことを特徴とする携帯ゲーム機用指ホルダー。
【考案の詳細な説明】
【技術分野】
【０００１】
本考案は、スタイラスペンを使用して操作するタッチパネル形式の携帯ゲーム機等において、スタイラスペンを使用しなくとも指先に装着した指ホルダーでタッチパネルに触れることで操作することができる携帯ゲーム機用指ホルダーに関するものである。
【背景技術】
【０００２】
近年、携帯ゲーム機をはじめとする電子辞書等の電子機器においては、図３０に示した携帯ゲーム機２３のように画面にタッチパネルを搭載し、スタイラスペン２４や指先で前記タッチパネルに触れたりスライドさせたりすることで操作するものが多くみられる。
【０００３】
しかしながら、タッチパネルを指で触れて操作するとタッチパネルに指紋や皮脂が付着し画面が汚れてしまったり、またペン型のスタイラスペンを用いての操作は指が疲れやすく長時間の操作には向いていないと共に、手や指に障害があるなどでペンを握ることが困難な人はスタイラスペンを持つことができず、ゲーム機等を操作することができない。
【０００４】
このような問題を解決するものとしては、特許文献１に記載のタッチパネルクリーナー付スタイラスペンが提案されているが、これはタッチパネルに指紋等が付着した場合に容易にタッチパネルの清掃ができるものであり、ペン型のスタイラスペンであることには代わりがない。
【０００５】
また、携帯ゲーム機等に付属のスタイラスペンは一様に細いので、使いにくく紛失しやすいものが多く、その問題を解消するために、太さや色に違いがあるスタイラスペンも市販されているが、デザイン性に優れたものや、遊び心のあるものはあまり見られない。
【特許文献１】特開２００６−２２８０１２号
【考案の開示】
【考案が解決しようとする課題】
【０００６】
そこで、本考案は、ペン型の形状でなくてもスタイラスペンと同様の効果を備えたもので、装着及び使用が簡単な指ホルダーにスタイラスペンと同様の効果を得られる突起を設けてタッチパネル形式の携帯ゲーム機等を操作することが可能であり、デザイン性にも優れた携帯ゲーム機用指ホルダーを提供することを目的としたものである。
【課題を解決するための手段】
【０００７】
本考案は、上記の課題を解決するために、頂部３ａが丸みを帯びたドーム状に形成され底部３ｄが開口した筒状の本体２で、背面は後方に向かってやや湾曲した湾曲部３ｃが形成され、前記湾曲部３ｃの延長線上となる頂点は突起３ａを形成し、正面３には顔のデザイン４が描かれており、前記本体２の内部に中空に取り付けられたクッション材５の中空部分を指保持部６ａとしたことを特徴とする携帯ゲーム機用指ホルダー１の構成とした。
【０００８】
また、本考案は前記携帯ゲーム機用指ホルダー１と同様の構成であるが、本体２の正面にペンギン、カエル、鳥、犬、モグラ、インディアン、ゾウ、イルカ等の様々なデザインを描いたことを特徴とする携帯ゲーム機用指ホルダー１０、１１、１２、１３、１４、１５、１６、１７の構成とした。
【０００９】
さらに、本考案は本体１９を指輪を模したリング状に形成し、前記リング状の本体１９の下部には後方に向かって突出した突出部２０を設け、前記突出部２０の下方に突起２０ａを設けたことを特徴とする指輪型携帯ゲーム機用指ホルダー１８の構成とした。
【考案の効果】
【００１０】
本考案は、携帯ゲーム機等のタッチパネルを操作するスタイラスペンの機能を指先に簡単に装着できる指ホルダーに備えたので装着及び操作が簡単であり、長時間の操作でも疲れにくく、またデザインや形のバリエーションを豊富にしたことでデザイン性にも優れたものである。
【００１１】
また、本考案はペンを握る必要もなく、指先に装着するだけで簡単に携帯ゲーム機等の操作ができるので、ペンを持つことが困難な人でもタッチパネル形式の携帯ゲーム機等を楽しむことができる。
【考案を実施するための最良の形態】
【００１２】
本考案である携帯ゲーム機用指ホルダーは、頂部が丸みを帯びたドーム状に形成され底部が開口した筒状で、背面は後方に向かってやや湾曲した湾曲部が形成され、前記湾曲部の延長線上である頂点は突起を形成した本体とすることで指に簡単に装着することができ、本体の正面には顔のデザインをはじめとして様々な動物等のデザインを描くことでバリエーションに富んだ携帯ゲーム機用指ホルダーである。
【実施例１】
【００１３】
図１は本考案である携帯ゲーム機用指ホルダーの正面図、図２は本考案である携帯ゲーム機用指ホルダーの左側面図、図３は本考案である携帯ゲーム機用指ホルダーの底面図、図４は本考案である携帯ゲーム機用指ホルダーの図１中に示したＡ−Ａ線に沿った断面図である。
【００１４】
図１及び図２に示すように、本考案である携帯ゲーム機用指ホルダー１を構成する本体２は頂部３ａが丸みを帯びたドーム状の筒体で、背面は後方に向かってやや湾曲した湾曲部３ｃが形成され、前記湾曲部３ｃの延長線上である頂点は突起３ａを形成している。また、本体２の正面３には、デザインとして顔デザイン４が描かれている。
【００１５】
図３及び図４に示すように、本体２の底部３ｄは開口部６となっており、本体２内部の内周にはスポンジのクッション材５が中空に取り付けられており、前記クッション材５の中空部分が指保持部６ａとなっている。
【００１６】
図５は本考案である携帯ゲーム機用指ホルダーの使用状態を示す断面図、図６は本考案である携帯ゲーム機用指ホルダーを使用して携帯ゲーム機を操作する状態を示した図である。図５に示すように、本考案である携帯ゲーム機用指ホルダー１を装着する際には、本体２底部の開口部６から指７を差し込み、指保持部６ａに指７を収める。このとき、指７の爪側に本体２の正面３が向くようにして本考案である携帯ゲーム機用指ホルダー１を指７に装着する。
【００１７】
携帯ゲーム機２３を操作するには、携帯ゲーム機用指ホルダー１の背面に形成した突起３ｂでタッチパネルに触れたり動かしたりして操作をするので、操作をしているときには本体２の正面３ａが見えることとなる。すなわち、本体２の正面３に描いた顔デザイン４が上に向いている状態となる。
【００１８】
また、本考案である携帯ゲーム機用指ホルダー１は、図６に示したように伸縮性のあるストラップ２２に取り付けることも可能であり、前記ストラップ２２を携帯ゲーム機２３本体に連結させることで、本考案である携帯ゲーム機用指ホルダー１の紛失を防ぐことができる。
【実施例２】
【００１９】
図７から図９は本考案である携帯ゲーム機用指ホルダーの第２実施例を示す図である。図７は携帯ゲーム機用指ホルダーの第２実施例の左側面図、図８は携帯ゲーム機用指ホルダーの第２実施例の底面図、図９は図７中に示した携帯ゲーム機用指ホルダーの第２実施例のＢ−Ｂ線に沿った断面図である。
【００２０】
図７に示すように、本考案の第２実施例である携帯ゲーム機用指ホルダー１ａの外観は、図１から図６に示した携帯ゲーム機用指ホルダー１と同様である。すなわち、本体２は頂部３ａが丸みを帯びたドーム状の筒体で、背面は後方に向かってやや湾曲した湾曲部３ｃが形成され、前記湾曲部３ｃの延長線上である頂点は突起３ａを形成し、本体２の正面３には、デザインとして顔デザイン４が描かれている。
【００２１】
図８及び図９に示すように、本体２の底部３ｄは開口部９となっており、本体２内部の内周にはスポンジのクッション材８が中空に取り付けられており、前記クッション材８の中空部分が指保持部９ａとなっている。
【００２２】
本第２実施例である携帯ゲーム機用指ホルダー１ａの特徴は、本体２内部に取り付けられたクッション材８が前述した携帯ゲーム機用指ホルダー１と比べてかなり厚みがあり、クッション材８の内部に形成した指保持部９ａが小さくなっていることである。すなわち、本第２実施例の携帯ゲーム機用指ホルダー１ａは、手の小さい女性や子供を使用対象とするものである。
【実施例３】
【００２３】
図１０は本考案である携帯ゲーム機用指ホルダーの第３実施例の左側面図である。図１０に示すように、携帯ゲーム機用指ホルダー１０の外観の形状及び構成は第１実施例で説明した携帯ゲーム機用指ホルダー１及び第２実施例で説明した携帯ゲーム機用指ホルダー１ａと同様であるが、携帯ゲーム機用指ホルダー１０の本体２にはペンギンのデザイン１０ａが描かれている。
【実施例４】
【００２４】
図１１は本考案である携帯ゲーム機用指ホルダーの第４実施例の左側面図である。図１１に示すように、携帯ゲーム機用指ホルダー１１の外観の形状及び構成は第１実施例で説明した携帯ゲーム機用指ホルダー１及び第２実施例で説明した携帯ゲーム機用指ホルダー１ａと同様であるが、携帯ゲーム機用指ホルダー１１の本体２にはカエルのデザイン１１ａが描かれている。
【実施例５】
【００２５】
図１２は本考案である携帯ゲーム機用指ホルダーの第５実施例の左側面図である。図１２に示すように、携帯ゲーム機用指ホルダー１２の外観の形状及び構成は第１実施例で説明した携帯ゲーム機用指ホルダー１及び第２実施例で説明した携帯ゲーム機用指ホルダー１ａと同様であるが、携帯ゲーム機用指ホルダー１２の本体２には鳥のデザイン１２ａが描かれている。
【実施例６】
【００２６】
図１３は本考案である携帯ゲーム機用指ホルダーの第６実施例の左側面図である。図１３に示すように、携帯ゲーム機用指ホルダー１３の外観の形状及び構成は第１実施例で説明した携帯ゲーム機用指ホルダー１及び第２実施例で説明した携帯ゲーム機用指ホルダー１ａと同様であるが、携帯ゲーム機用指ホルダー１３の本体２には犬のデザイン１３ａが描かれている。
【実施例７】
【００２７】
図１４は本考案である携帯ゲーム機用指ホルダーの第７実施例の左側面図である。図１４に示すように、携帯ゲーム機用指ホルダー１４の外観の形状及び構成は第１実施例で説明した携帯ゲーム機用指ホルダー１及び第２実施例で説明した携帯ゲーム機用指ホルダー１ａと同様であるが、携帯ゲーム機用指ホルダー１４の本体２にはモグラのデザイン１４ａが描かれている。
【実施例８】
【００２８】
図１５は本考案である携帯ゲーム機用指ホルダーの第８実施例の左側面図である。図１５に示すように、携帯ゲーム機用指ホルダー１５の外観の形状及び構成は第１実施例で説明した携帯ゲーム機用指ホルダー１及び第２実施例で説明した携帯ゲーム機用指ホルダー１ａと同様であるが、携帯ゲーム機用指ホルダー１５の本体２にはインディアンのデザイン１５ａが描かれている。
【実施例９】
【００２９】
図１６は本考案である携帯ゲーム機用指ホルダーの第９実施例の左側面図である。図１６に示すように、携帯ゲーム機用指ホルダー１６の外観の形状及び構成は第１実施例で説明した携帯ゲーム機用指ホルダー１及び第２実施例で説明した携帯ゲーム機用指ホルダー１ａと同様であるが、携帯ゲーム機用指ホルダー１６の本体２にはゾウのデザイン１６ａが描かれている。
【実施例１０】
【００３０】
図１７は本考案である携帯ゲーム機用指ホルダーの第１０実施例の左側面図である。図１７に示すように、携帯ゲーム機用指ホルダー１７の外観の形状及び構成は第１実施例で説明した携帯ゲーム機用指ホルダー１及び第２実施例で説明した携帯ゲーム機用指ホルダー１ａと同様であるが、携帯ゲーム機用指ホルダー１７の本体２にはイルカのデザイン１７ａが描かれている。
【実施例１１】
【００３１】
図１８は本考案である携帯ゲーム機用指ホルダーの第１１実施例の左側面図である。第１１実施例の携帯ゲーム機用指ホルダーは、図１８に示すように、携帯ゲーム機用指ホルダー１の本体２の側面部分にクリーナー２ａを取り付けたものである。
【００３２】
前記クリーナー２ａとは、携帯ゲーム機のタッチパネルに付着した汚れを拭き取るためのクリーナーである。携帯ゲーム機用指ホルダー１の側面部分にクリーナー２ａを取り付けることで、携帯ゲーム機用指ホルダー１を指に装着してタッチパネルを操作する際に、汚れが気になったらすぐに拭き取ることができる。
【実施例１２】
【００３３】
図１９及び図２０は本考案である携帯ゲーム機用指ホルダーの第１２実施例を示した図である。図１９は携帯ゲーム機用指ホルダーの第１２実施例の正面図、図２０は携帯ゲーム機用指ホルダーの第１２実施例の背面図である。
【００３４】
図１９及び図２０に示すように、携帯ゲーム機用指ホルダー２５の外観の形状は第１実施例で説明した携帯ゲーム機用指ホルダー１と同様である。すなわち、本体２６は頂部２６ｂが丸みを帯びたドーム状の筒体で、背面２６ｄは後方に向かってやや湾曲した湾曲部が形成され、前記湾曲部の延長線上である頂点は突起２６ｃを形成している。
【００３５】
前記本体２６の正面２６ａには上方に略正方形状の空気孔２７と前記空気孔２７と同形状の空気孔２７ａが縦列に設けられている。また、本体２６の背面２６ｄには略楕円形状の空気孔２８が設けられている。
【００３６】
正面２６ａに設けられた空気孔２７、２７ａ及び背面２６ｄに設けられた空気孔２８によって、本体２内部の指保持部内に空気が流入し、携帯ゲーム機用指ホルダー２５を装着した指が蒸れることを防ぐものである。
【実施例１３】
【００３７】
図２１から図２６は本考案である携帯ゲーム機用指ホルダーの第１３実施例を示した図である。図２１は携帯ゲーム機用指ホルダーの第１３実施例の正面図、図２２は第１３実施例の左側面図、図２３は第１３実施例の平面図、図２４は第１３実施例の図２２中に示したＣ−Ｃ線に沿った断面図である。
【００３８】
図２１から図２４に示すように、本考案である携帯ゲーム機用指ホルダーの第１３実施例は、指輪型の形状である。本考案の第１３実施例である指輪型携帯ゲーム機用指ホルダー１８は、本体１９が指輪を模したリング状であり、前記リング状の本体１９の上部には宝石を模した装飾部材２１が取り付けられている。
【００３９】
本体１９の下部には後方に向かって突出した突出部２０が設けられている。前記突出部２０は先端に行くに従い幅が狭くなっており、先端からは下方に向かって突起２０ａが設けられている。前記突出部２０は、先端がやや上方に湾曲している。
【００４０】
図２５は本考案である携帯ゲーム機用指ホルダーの第１３実施例の装着方法を示す図、図２６は本考案である携帯ゲーム機用指ホルダーの第１３実施例の使用状態を示す図である。
【００４１】
図２５に示すように、本考案の第１３実施例である指輪型携帯ゲーム機用指ホルダー１８を使用する際には、本体１９後方に設けた突出部２０が指先にくるように指７を本体１９の正面１９ｂから挿入し、指７に装着する。このとき、突出部２０が先端に向かうに従いやや上方に湾曲しているので、指先が突出部２０の表面にぴったりと収まる。
【００４２】
図２６に示したように、指７に装着した指輪型携帯ゲーム機用指ホルダー１８に設けた突出部２０の突起２０ａで携帯ゲーム機２３のタッチパネルに触れたり動かしたりすることで、タッチパネルを操作することができる。また、第１実施例と同様に、ストラップ２２を取り付けて、携帯ゲーム機２３と連結することも可能である。
【実施例１４】
【００４３】
図２７から図２９は本考案である携帯ゲーム機用指ホルダーの第１４実施例を示した図である。図２７は本考案である携帯ゲーム機用指ホルダーの第１４実施例の正面図、図２８は第１４実施例の左側面図、図２９は第１４実施例の使用状態を示す図である。
【００４４】
本考案である携帯ゲーム機用指ホルダーの第１４実施例である携帯ゲーム機用指ホルダー２９は、本体２９ａと支持部３０から構成されている。本体２９ａは上方及び下方が開口した筒体で、本体２９ａの背面には支持部３０が連接されている。
【００４５】
支持部３０は、先端が尖り、二辺は丸みを帯びた略三角形状の支持枠３０ａで、前記支持枠３０ａの突端３０ｂは後方に向かってやや湾曲することで突起を形成している。本体２９ａの正面にはハートのデザイン３１が切り抜かれている。前記デザイン３１は図示したハートのデザインに限らず任意で変えることができる。
【００４６】
図２９に示すように、本第１４実施例の携帯ゲーム機用指ホルダー２９を使用する際には、指３２を本体２９ａの下方から挿入し、支持枠３０ａに指３２を収めて装着する。支持部３０の正面は本体２９ａ等で覆われてはおらず、指３２に装着すると指先の爪３２ａがむき出しの状態となる。そのため、実施例１から実施例１２までに説明した携帯ゲーム機用指ホルダー１等の装着が難しい、爪３２ａを伸ばした女性などでも本第１４実施例の携帯ゲーム機用指ホルダー２９を使用することが可能となる。
【図面の簡単な説明】
【００４７】
【図１】本考案である携帯ゲーム機用指ホルダーの正面図である。
【図２】本考案である携帯ゲーム機用指ホルダーの左側面図である。
【図３】本考案である携帯ゲーム機用指ホルダーの底面図である。
【図４】本考案である携帯ゲーム機用指ホルダーのＡ−Ａ断面図である。
【図５】本考案である携帯ゲーム機用指ホルダーの使用状態を示す断面図である。
【図６】本考案である携帯ゲーム機用指ホルダーの使用状態を示す図である。
【図７】本考案である携帯ゲーム機用指ホルダーの第２実施例の左側面図である。
【図８】本考案である携帯ゲーム機用指ホルダーの第２実施例の底面図である。
【図９】本考案である携帯ゲーム機用指ホルダーの第２実施例のＢ−Ｂ断面図である。
【図１０】本考案である携帯ゲーム機用指ホルダーの第３実施例の左側面図である。
【図１１】本考案である携帯ゲーム機用指ホルダーの第４実施例の左側面図である。
【図１２】本考案である携帯ゲーム機用指ホルダーの第５実施例の左側面図である。
【図１３】本考案である携帯ゲーム機用指ホルダーの第６実施例の左側面図である。
【図１４】本考案である携帯ゲーム機用指ホルダーの第７実施例の左側面図である。
【図１５】本考案である携帯ゲーム機用指ホルダーの第８実施例の左側面図である。
【図１６】本考案である携帯ゲーム機用指ホルダーの第９実施例の左側面図である。
【図１７】本考案である携帯ゲーム機用指ホルダーの第１０実施例の左側面図である。
【図１８】本考案である携帯ゲーム機用指ホルダーの第１１実施例の左側面図である。
【図１９】本考案である携帯ゲーム機用指ホルダーの第１２実施例の正面図である。
【図２０】本考案である携帯ゲーム機用指ホルダーの第１２実施例の背面図である。
【図２１】本考案である携帯ゲーム機用指ホルダーの第１３実施例の正面図である。
【図２２】本考案である携帯ゲーム機用指ホルダーの第１３実施例の左側面図である。
【図２３】本考案である携帯ゲーム機用指ホルダーの第１３実施例の平面図である。
【図２４】本考案である携帯ゲーム機用指ホルダーの第１３実施例のＣ−Ｃ断面図である。
【図２５】本考案である携帯ゲーム機用指ホルダーの第１３実施例の装着方法を示す図である。
【図２６】本考案である携帯ゲーム機用指ホルダーの第１３実施例の使用状態を示す図である。
【図２７】本考案である携帯ゲーム機用指ホルダーの第１４実施例の正面図である。
【図２８】本考案である携帯ゲーム機用指ホルダーの第１４実施例の左側面図である。
【図２９】本考案である携帯ゲーム機用指ホルダーの第１４実施例の使用状態を示す図である。
【図３０】従来の携帯ゲーム機の図である。
【符号の説明】
【００４８】
１          携帯ゲーム機用指ホルダー
１ａ        携帯ゲーム機用指ホルダー
２          本体
２ａ        クリーナー
３          正面
３ａ        頂部
３ｂ        突起
３ｃ        湾曲部
３ｄ        底部
４          顔デザイン
５          クッション材
５ａ        頂部
６          開口部
６ａ        指保持部
７          指
８          クッション材
９          開口部
９ａ        指保持部
１０          携帯ゲーム機用指ホルダー
１０ａ        ペンギンデザイン
１１          携帯ゲーム機用指ホルダー
１１ａ        カエルデザイン
１２          携帯ゲーム機用指ホルダー
１２ａ        鳥デザイン
１３          携帯ゲーム機用指ホルダー
１３ａ        犬デザイン
１４          携帯ゲーム機用指ホルダー
１４ａ        モグラデザイン
１５          携帯ゲーム機用指ホルダー
１５ａ        インディアンデザイン
１６          携帯ゲーム機用指ホルダー
１６ａ        ゾウデザイン
１７          携帯ゲーム機用指ホルダー
１７ａ        イルカデザイン
１８          指輪型携帯ゲーム機用指ホルダー
１９          本体
１９ａ        側面
１９ｂ        正面
２０          突出部
２０ａ        突起
２１          装飾部材
２２          ストラップ
２３          携帯ゲーム機
２４          スタイラスペン
２５          携帯ゲーム機用指ホルダー
２６          本体
２６ａ        正面
２６ｂ        頂部
２６ｃ        突起
２６ｄ        背面
２７、２７ａ  空気孔
２８          空気孔
２９          携帯ゲーム機用指ホルダー
２９ａ        本体
３０          支持部
３０ａ        支持枠
３０ｂ        突端
３１          デザイン
３２          指
３２ａ        爪
【図１】
0003134926.tif 000003
【図２】
0003134926.tif 000004
【図３】
0003134926.tif 000005
【図４】
0003134926.tif 000006
【図５】
0003134926.tif 000007
【図６】
0003134926.tif 000008
【図７】
0003134926.tif 000009
【図８】
0003134926.tif 000010
【図９】
0003134926.tif 000011
【図１０】
0003134926.tif 000012
【図１１】
0003134926.tif 000013
【図１２】
0003134926.tif 000014
【図１３】
0003134926.tif 000015
【図１４】
0003134926.tif 000016
【図１５】
0003134926.tif 000017
【図１６】
0003134926.tif 000018
【図１７】
0003134926.tif 000019
【図１８】
0003134926.tif 000020
【図１９】
0003134926.tif 000021
【図２０】
0003134926.tif 000022
【図２１】
0003134926.tif 000023
【図２２】
0003134926.tif 000024
【図２３】
0003134926.tif 000025
【図２４】
0003134926.tif 000026
【図２５】
0003134926.tif 000027
【図２６】
0003134926.tif 000028
【図２７】
0003134926.tif 000029
【図２８】
0003134926.tif 000030
【図２９】
0003134926.tif 000031
【図３０】
0003134926.tif 000032